(57)【要約】      （修正有）【課題】簡易で安価な方法で紫外線検出素子に指向性を持たせることができ、測定対象物における紫外線検出エリアを絞り込むことが可能な光学式放電検出器を提供する。【解決手段】筐体内４の紫外線を検出する無指向性型の紫外線検出素子１０の前方に、紫外線を透過しない遮蔽板１４を備え、遮蔽板１４の紫外線検出素子１０と筐体４前方の放電点とを結ぶ線上の位置に、放電点から放出される紫外線を紫外線検出素子１０方向に通過させる開口を有することを特徴とする。【選択図】図２
0003183551.tif 000002
【実用新案登録請求の範囲】
【請求項１】
電気設備において生じる放電を検出し表示する光学式放電検出器において、
筐体内の紫外線を検出する無指向性型の紫外線検出素子の前方に、該紫外線を透過しない遮蔽板を備え、
該遮蔽板の該紫外線検出素子と該筐体前方の放電点とを結ぶ線上の位置に、該放電点から放出される該紫外線を該紫外線検出素子方向に通過させる開口を有することを特徴とする光学式放電検出器。
【請求項２】
前記遮蔽板が、アクリル板又はプラスチック板であることを特徴とする請求項１記載の光学式放電検出器。
【請求項３】
前記放電点をスポット的に照明するスポット光源を備えることを特徴とする請求項１又は請求項２記載の光学式放電検出器。
【考案の詳細な説明】
【技術分野】
【０００１】
本考案は、電気設備において生じる放電を検出し表示する光学式放電検出器に関する。
【背景技術】
【０００２】
従来より、電気設備の絶縁不良等によって生じる放電に起因する火災や感電事故を未然に防止するため、放電が生じる異常箇所を発見し特定するための光学式放電検出器が提案されている。特に、光学式のものとしては、放電によって生じる紫外線を検出することによって、放電が発生していることを検知するものがある。
【０００３】
例えば、特許文献１に示す電気機器等の異常監視装置は、電気機器、電気設備等の監視対象部に対向して紫外線検出器を設け、この検出器により監視対象部における放電の発生を監視するようにしている。そして、誤検出を防止するため、放電によるものではない背景光に含まれる紫外線をカットするフィルタを設けるようにしている。
【先行技術文献】
【特許文献】
【０００４】
【特許文献１】特開昭５４−１５１４９号公報
【考案の概要】
【考案が解決しようとする課題】
【０００５】
しかしながら、従来の電気機器等の異常監視装置に用いられる紫外線検出器は、無指向性であり、紫外線検出器の検出可能範囲で放電が発生していれば、そのすべてを検出することになり、放電の発生自体を監視することができるが、検出可能範囲が広く、検出可能範囲のどこで放電が発生しているかを特定することが困難である。
【０００６】
さらに、放電によるものではない背景光に含まれる紫外線をカットするために、特定の周波数の紫外線をカットするフィルタを設ける必要があり、装置自体が高価になってしまうという問題があった。
【０００７】
本考案は、このような事情に鑑みてなされたもので、簡易で安価な方法で紫外線検出素子に指向性を持たせることができ、測定対象物における紫外線検出エリアを絞り込むことが可能な光学式放電検出器を提供することにある。
【課題を解決するための手段】
【０００８】
請求項１記載の光学式放電検出器は、筐体内の紫外線を検出する無指向性型の紫外線検出素子の前方に、紫外線を透過しない遮蔽板を備え、遮蔽板の紫外線検出素子と筐体前方の放電点とを結ぶ線上の位置に、放電点から放出される紫外線を紫外線検出素子方向に通過させる開口を有することを特徴とする。
【０００９】
請求項２記載の光学式放電検出器は、遮蔽板が、アクリル板又はプラスチック板であることを特徴とする。
【００１０】
請求項３記載の光学式放電検出器は、放電点をスポット的に照明するスポット光源を備えることを特徴とする。
【考案の効果】
【００１１】
請求項１の考案によれば、筐体内の紫外線を検出する無指向性型の紫外線検出素子の前方に、紫外線を透過しない遮蔽板を備え、遮蔽板の紫外線検出素子と筐体前方の放電点とを結ぶ線上の位置に、放電点から放出される紫外線を紫外線検出素子方向に通過させる開口を有することで、簡易で安価な方法で紫外線検出素子に指向性を持たせることができ、測定対象物における紫外線検出エリアを絞り込むことが可能である。
【００１２】
請求項２の考案によれば、遮蔽板が、アクリル板又はプラスチック板であることから、安価に光学式放電検出器を構成させることができる。
【００１３】
請求項３の考案によれば、放電点をスポット的に照明するスポット光源を備えることで、放電の位置を容易に特定することができる。
【図面の簡単な説明】
【００１４】
【図１】本考案に係る光学式放電検出器の一例を示す外観図である。
【図２】同光学式放電検出器の内部構造を示す説明図である。
【図３】同光学式放電検出器の内部構成を示す構成図である。
【考案を実施するための形態】
【００１５】
以下、本考案の形態について図面を参照しながら具体的に説明する。図１は、本考案に係る光学式放電検出器の一例を示す外観図である。図２は、同光学式放電検出器の内部構造を示す説明図である。図３は、同光学式放電検出器の内部構成を示す構成図である。
【００１６】
図において、光学式放電検出器１は、光学式の素子を用いて、電気設備において生じる放電を検出し表示するためのものである。光学式放電検出器１は、筐体４に、紫外線検出素子１０、紫外線検出素子駆動回路１２、遮蔽板１４、レーザポインタ２０、表示装置３０、ブザー３２、入力装置３４、電源回路４０等を備える。
【００１７】
紫外線検出素子１０は、放電により生じる波長が約２００ｎｍ〜約３００ｎｍの紫外線を検出する無指向性の素子である。また、紫外線検出素子駆動回路１２は、紫外線検出素子１０を駆動制御する電子回路で、紫外線を検出した場合に、後述する表示装置３０やブザー３２を介して、検出したことを測定者に表示するものである。具体的には、紫外線検出素子１０としては、例えば、Ｒ９４５４（浜松ホトニクス株式会社製）であり、紫外線検出素子駆動回路１２としては、例えば、Ｃ１０４２３（浜松ホトニクス株式会社製）である。
【００１８】
遮蔽板１４は、筐体４内の紫外線検出素子１０の前方に設けられた紫外線を透過しない板材である。また、遮蔽板１４の紫外線検出素子１０と筐体４の前方の放電点Ｆとを結ぶ線上の位置に、放電点Ｆから放出される紫外線を紫外線検出素子１０の方向に通過させる開口１４ａが穿設されている。遮蔽板１４の材質としては、石英ガラス以外であれば紙でも木でもよく限定されないが、入手の容易性（汎用性）や強度や加工の容易性に鑑みると、アクリル板やプラスチック板が、好ましい。
【００１９】
本実施の形態における紫外線検出素子１０は、無指向性のため、本来は広い範囲で生じた紫外線を検知することができるが、上述の開口１４ａを穿設した遮蔽板１４を設けることにより、測定対象物Ｔにおける紫外線検出エリアＥを絞り込むことが可能となり、紫外線検出素子１０に指向性を持たせることができる。尚、遮蔽板１４は、紫外線を完全に透過しないものに限られるものではなく、紫外線を所定量通過させるものであっても、開口１４ａとの関係で、紫外線検出素子１０に指向性を持たせ紫外線検出エリアＥを絞り込むことが可能なものであればよい。
【００２０】
表示装置３０は、光学式放電検出器１の電源がオンであって測定可能であることを点灯して表示する測定表示器３０ａと、紫外線検出素子１０が放電により生じた紫外線を検出した場合に、検出した旨を測定者に点灯して表示する検出表示器３０ｂとである。この測定表示器３０ａや検出表示器３０ｂは、ＬＥＤやランプである。
【００２１】
ブザー３２は、紫外線検出素子１０が放電により生じた紫外線を検出した場合に、検出した旨を測定者に音で伝えるものである。光学式放電検出器１の使い勝手からすれば、点灯による表示と音による表示の両方があることが望ましい。また、紫外線検出素子１０が放電により生じた紫外線を検出した場合に、所定時間継続して検出表示器３０ｂを点灯させ、及びブザー３２からブザー音を発生させ、検出を確実に測定者に伝えるようにする。
【００２２】
入力装置３４は、光学式放電検出器１の電源をオンにして紫外線検出素子１０及び紫外線検出素子駆動回路１２を動作させ、放電により生じる紫外線の測定を開始させるＯＮスイッチ３４ａと、光学式放電検出器１の電源をオフにするＯＦＦスイッチ３４ｂとである。
【００２３】
レーザポインタ２０は、先端部から赤色のレーザ光を発射するスポット光源で、筐体４に設けられ、放電点Ｆをスポット的に照明するように配置されている。
【００２４】
電源回路４０は、紫外線検出素子１０、紫外線検出素子駆動回路１２、レーザポインタ２０、表示装置３０、ブザー３２に電力を供給する回路及び蓄電池から構成されている。ＯＮスイッチ３４ａが押下されることで、電源回路４０から、各部に電力が供給され、光学式放電検出器１が動作することになる。また、ＯＦＦスイッチ３４ｂを押下することで、電源回路４０は、各部への電力の供給を停止し、光学式放電検出器１の動作が停止することになる。
【００２５】
尚、電源回路４０への電力の供給源は、光学式放電検出器１の携帯性を考慮すると蓄電池であることが望ましいが、ＤＣアダプターやＡＣ電源から電力を供給されるような構成であってもよい。また、蓄電池は、乾電池の他、充電可能な二次電池でもよく、充電回路を光学式放電検出器１に設けるようにしてもよい。さらに、電源回路４０が各部への電力を停止して光学式放電検出器１の動作を停止させる方法としては、ＯＦＦスイッチ３４ｂを押下することがあるが、所定時間ＯＦＦスイッチ３４ｂが押下されない場合、自動的に電源回路４０が各部への電力の供給を停止し、光学式放電検出器１の電源をオフさせるようにしてもよい。
【００２６】
次に、本実施の形態における光学式放電検出器１の使用方法を説明する。まず、ＯＮスイッチ３４ａを押下し、光学式放電検出器１の電源をオンにする（電源が入ってオンになると、測定表示器３０ａが点灯する）。そして、遮蔽板１４の開口１４ａが、測定対象物Ｔの方向に向くように光学式放電検出器１を向ける。または、遮蔽板１４の開口１４ａが、測定対象物Ｔの方向に向くように光学式放電検出器１を向け、ＯＮスイッチ３４ａを押下し、光学式放電検出器１の電源を入れてオンにする。
【００２７】
この状態で、測定対象物Ｔの紫外線検出エリアＥで放電により紫外線が発生し、その紫外線を紫外線検出素子１０が検出すると、所定時間継続して検出表示器３０ｂが点灯すると共に、ブザー３２がブザー音を発する。この光と音とにより、測定者は、測定対象物Ｔで放電が発生していることを、知ることになる。そして、レーザポインタ２０のレーザ光が指し示す位置の近辺が、放電点Ｆの位置である。
【００２８】
光学式放電検出器１の使用を終える場合には、ＯＦＦスイッチ３４ｂを押下することで、電源回路４０が各部への電力の供給を停止し、光学式放電検出器１の動作が停止する。また、ＯＦＦスイッチ３４ｂを押下しなくとも、所定時間で自動的に光学式放電検出器１の電源をオフさせる機能を有する場合には、この所定時間経過後、光学式放電検出器１の動作が停止する。
【００２９】
以上のような本考案の光学式放電検出器１によれば、筐体４内の紫外線を検出する無指向性型の紫外線検出素子１０の前方に、紫外線を透過しない遮蔽板１４を備え、遮蔽板１４の紫外線検出素子１０と筐体４前方の放電点Ｆとを結ぶ線上の位置に、放電点Ｆから放出される紫外線を紫外線検出素子１０方向に通過させる開口１４ａを有することで、簡易で安価な方法で紫外線検出素子１０に指向性を持たせることができ、測定対象物Ｔにおける紫外線検出エリアＥを絞り込むことが可能である。
【００３０】
また、遮蔽板１４を、アクリル板又はプラスチック板にすることで、安価に光学式放電検出器１を構成させることができる。
【００３１】
さらに、レーザポインタ２０は必須ではないものの、放電点Ｆをスポット的に照明するスポット光源であるレーザポインタ２０を設けることで、放電の位置（放電点Ｆ）を容易に特定することができる。
【産業上の利用可能性】
【００３２】
本考案により、簡易で安価な方法で紫外線検出素子に指向性を持たせることができ、測定対象物における紫外線検出エリアを絞り込むことが可能な光学式放電検出器を提供することができる。
【符号の説明】
【００３３】
１・・・・・光学式放電検出器
４・・・・・筐体
１０・・・・紫外線検出素子
１２・・・・紫外線検出素子駆動回路
１４・・・・遮蔽板
１４ａ・・・開口
２０・・・・レーザポインタ
３０・・・・表示装置
３０ａ・・・測定表示器
３０ｂ・・・検出表示器
３２・・・・ブザー
３４・・・・入力装置
３４ａ・・・ＯＮスイッチ
３４ｂ・・・ＯＦＦスイッチ
４０・・・・電源回路
【図１】
0003183551.tif 000003
【図２】
0003183551.tif 000004
【図３】
0003183551.tif 000005